(57)【要約】【課題】ロースター扉が調理作業や掃除作業の邪魔となったり外観を損ねたりする部分を有さず、しかも、それでいて開扉の操作性に優れるようにする。【解決手段】ロースター扉１４は前面がほゞ平坦なものであり、調理作業や掃除作業の邪魔となったり外観を損ねたりする、突出したハンドル部を有さない。又、それでいて、ロースター扉１４近傍の本体１１前面部に有する操作部２７にはロースター扉開放用のプッシュボタン３０が存し、このプッシュボタン３０をプッシュ操作することにより、ロースター扉１４が開放されるから、突出したハンドル部を有さなくても、開扉の操作性に優れる。【選択図】図１
2007127383.tif 000002
【特許請求の範囲】
【請求項１】
天板部上で調理用器を加熱する本体が、天板部下方の部分にロースター部を具えるものにおいて、
前記ロースター部が、前面がほゞ平坦なロースター扉をロースター庫の前面部に具え、
そのロースター扉近傍の本体前面部に操作部を有し、
この操作部にプッシュボタンを設け、このプッシュボタンをプッシュ操作することにより、前記ロースター扉が開放されるようにしたことを特徴とする加熱調理器。
【請求項２】
操作部が、プッシュボタンのほかに、操作パネルを出し入れ自在に有することを特徴とする請求項１記載の加熱調理器。
【請求項３】
プッシュボタンをプッシュ操作したとき、ロースター扉が、手掛け部に指が掛かるだけの量、開放されることを特徴とする請求項１記載の加熱調理器。
【請求項４】
プッシュボタンをプッシュ操作したとき、その変位をロースター扉に伝えて該ロースター扉を開放させる伝達機構を、操作部とロースター部との間に設けたことを特徴とする請求項１記載の加熱調理器。
【請求項５】
ロースター部がロースター扉の開放と共にロースター庫から引き出されるロースター皿を有すると共に、そのロースター皿をその引き出し方向にガイドするガイド部を有することを特徴とする請求項１記載の加熱調理器。
【請求項６】
プッシュボタンをプッシュ操作したとき、ロースター部のロースター庫に具えたロースターヒータの通電を遮断するようにしたことを特徴とする請求項１記載の加熱調理器。
【請求項７】
ロースター部での調理の途中に、プッシュボタンがプッシュ操作されたとき、ロースター扉が所定時間を経過しても閉鎖されないときは、報知をすると共に、ロースター部での調理を終了することを特徴とする請求項７記載の加熱調理器。
【請求項８】
プッシュボタンをプッシュ操作したとき、その変位をロースター扉に伝えて該ロースター扉を開放させる伝達機構に、本体が有する冷却ファンが生成する空気流が及ぶようにしたことを特徴とする請求項１記載の加熱調理器。
【請求項９】
ロースター扉が常時は開放方向に付勢され、その付勢力に抗してロースター扉を閉鎖状態に拘束するロック機構を有し、このロック機構による前記ロースター扉の拘束を、プッシュボタンのプッシュ操作に応じて解除するロック解除機構を有することを特徴とする請求項１記載の加熱調理器。
【発明の詳細な説明】
【技術分野】
【０００１】
本発明は、天板部上で調理用器を加熱する本体が天板部下方の部分にロースター部を具える加熱調理器に関する。
【背景技術】
【０００２】
従来より、加熱調理器においては、図１４に示すように、天板部１に加熱部２を具えて、この天板部１上で鍋など調理用器を加熱する本体３が、天板部１の下方部分にロースター部４を具えるものが供されている。しかして、このものにおいては、ロースター部４が、ロースター庫５の前面部にロースター扉６を具えており、更に、そのロースター扉６が前面にハンドル部７を突出させて有し、このハンドル部７を使用者が手で持って前方に引くことにより、ロースター扉６が図示のごとく前方に引かれ、あるいは図示しないが前方に回動されて、開放されるようになっている（例えば特許文献１参照）。
【特許文献１】特開平１１−１２１１６３号公報
【発明の開示】
【発明が解決しようとする課題】
【０００３】
上記従来のものの場合、ロースター扉６が前面にハンドル部７を突出させて有するために、調理時、使用者の手や衣服がそのハンドル部７に掛かることがあり、調理作業の邪魔となることがあった。又、そのロースター扉６の前面に突出させて設けられたハンドル部７は、ロースター扉６の前面を拭き掃除するときの邪魔にもなり、掃除の作業性を損ねていた。そして、そのほか、ロースター扉６の前面に突出させて設けられたハンドル部７は、加熱調理器の外観を損ねてもいた。
【０００４】
本発明は上述の事情に鑑みてなされたものであり、従ってその目的は、ロースター扉が調理作業や掃除作業の邪魔となったり外観を損ねたりする部分を有さず、しかも、それでいて開扉の操作性に優れる加熱調理器を提供するにある。
【課題を解決するための手段】
【０００５】
上記目的を達成するために、本発明の加熱調理器においては、天板部上で調理用器を加熱する本体が、天板部下方の部分にロースター部を具えるものにおいて、前記ロースター部が、前面がほゞ平坦なロースター扉をロースター庫の前面部に具え、そのロースター扉近傍の本体前面部に操作部を有し、この操作部にプッシュボタンを設け、このプッシュボタンをプッシュ操作することにより、前記ロースター扉が開放されるようにしたことを特徴とする（請求項１の発明）。
【発明の効果】
【０００６】
上記手段によれば、ロースター扉は前面がほゞ平坦なものであり、調理作業や掃除作業の邪魔となったり外観を損ねたりする、突出したハンドル部を有さない。又、それでいて、ロースター扉近傍の本体前面部に有する操作部にはプッシュボタンが存し、このプッシュボタンをプッシュ操作することにより、ロースター扉が開放されるから、突出したハンドル部を有さなくても、開扉の操作性に優れる。
【発明を実施するための最良の形態】
【０００７】
以下、本発明の第１実施例（第１の実施形態）につき、図１ないし図１０を参照して説明する。
まず、図２には、加熱調理器の本体１１を示しており、上面に天板部１２を有し、この天板部１２に複数の加熱部（図示省略）を有している。本体１１の上記天板部１２の下方部分にはロースター部１３を設けており、このロースター部１３の前面であって且つ本体１１の前面部に、ロースター扉１４を設けている。
【０００８】
ロースター扉１４は、前面がほゞ平坦なもので、中央部には耐熱ガラス張りの透視窓１５を有しており、下面部に手掛け部１６を図３に示すように下方からの凹部で有している。このロースター扉１４の手掛け部１６を設けた下面部は、ロースター扉１４の閉鎖状態では使用者が触れることのできない部分であって、開放状態では触れることのできる部分であり、その部分はそのほかに左右の両側面部や上面部があり、手掛け部１６はそれらに設けるようにしても良い。又、図３には、本体１１内に形成したロースター庫１７を示しており、ロースター扉１４は、このロースター庫１７の前面部に位置してもいる。
【０００９】
ロースター庫１７内には、底部にロースター皿１８を配置しており、このロースター皿１８は、ロースター扉１４に連結部１９で連結されている。図３及び図４は、ロースター庫１７の左右両側面部に設けたガイド部２０を左側のもののみ代表して示しており、このガイド部２０は、この場合、ロースター庫１７の左右両側面部にそれぞれ前後に延びるチャンネル形のレール状部品を取付けることによって設けたものであるが、それに限られず、ロースター庫１７の左右両側面部を凹凸成形することによって設けるようにしても良い。
【００１０】
前記ロースター皿１８は、底部をロースター庫１７の底部から離して、左右の両側のフランジ部２１を上記ガイド部２０に掛けており、従って、使用者がロースター扉１４を引き操作したときに、ロースター扉１４が開放されると共に、それに連結部１９で伴い、ロースター皿１８がガイド部２０にガイドされつつ引き出されるようになっている。なお、そのようにロースター扉１４を開放すると共にロースター皿１８を引き出した状態から、ロースター扉１４を押し操作したときには、ロースター皿１８がガイド部２０にガイドされつつ押し入れられ、そして、ロースター扉１４が閉鎖されるようになっている。
【００１１】
前記ロースター庫１７内のロースター皿１８配置部分の上方には、下ヒータ２２を設けており、更にその上方には焼網２３を設け、更にその上方に上ヒータ２４を設けている。それら上ヒータ２４と下ヒータ２２は、ロースターヒータであって、ロースター皿１８に載せた被調理物、又は焼網２３に載せた被調理物を加熱する加熱手段たるものであり、そのうちの上ヒータ２４のみを有する構成であっても良い。又、焼網２３は単独に出し入れが可能で、選択使用されるようになっている。
図３には、そのほか、ロースター庫１７外の上方に２段に設けた遮熱板２５と、ロースター庫１７から後上方の機外に排気するための煙突２６を示している。
【００１２】
さて、図２に示すように、前記本体１１の前面部中、ロースター扉１４の近傍である図で右側の位置には、操作部２７を設けている。この操作部２７には、電源「入」用プッシュボタン２８と、電源「切」用プッシュボタン２９とを有すると共に、ロースター扉１４開放用プッシュボタン３０、及び操作パネル３１を有している。
【００１３】
これらプッシュボタン２８〜３０及び操作パネル３１は、いずれも常態が平坦なものであり、中でも、操作パネル３１は、前面の「押す」の表示３２が施された部分を図５の（ａ）に示すように使用者が指先で押すことにより、図５の（ｂ）に示すように突出して、前記加熱部を個別に制御するための各操作キー３３，３４，３５や表示部３６，３７，３８のある主パネル面３９を露出させるようになっており、その突出状態から操作パネル３１を押し込めば、元の収納状態に戻って保持されるようになっている。すなわち、操作パネル３１は出し入れ自在となっている。
【００１４】
そして、ロースター扉１４開放用プッシュボタン３０は、図２で右方の片側の部分に軸４０を有し、この軸４０で前後に回動可能に支持されている。又、このプッシュボタン３０の軸４０とは反対側（図で左方）の部分の表面には、「押す」の表示４１を施しており、同部分の裏面に図６に示すように凸部４２を設けている。
【００１５】
操作部２７とロースター部１３との間には、本体１１内において伝動機構４３を設けている。この伝動機構４３は、詳細には図７に示すように、中央部の上下部にそれぞれ軸部４４，４５を有する伝動ピース４６を主体に構成しており、この伝動ピース４６を軸部４４，４５で本体１１に前後に回動可能に支持している。なお、図７には、下部の軸部４５を支持した支持ピース４７を代表で示している。
【００１６】
又、伝動ピース４６は、中央部の上側から図で右方（操作部２７側）に受動部４８を翼状に有し、中央部の下側から図で左方（ロースター扉１４側）には授動部４９を同じく翼状に有している。このうち、授動部４９には、更に前面に凸部５０を設けていて、それに圧縮コイルスプリング５１を巻装している。
【００１７】
一方、ロースター扉１４の裏面中、図で右方（伝動ピース４６側）の部分には、凸部５２を設け、これに上記伝動ピース４６の凸部５０が後方より臨んでいる。しかして、スプリング５１は、伝動ピース４６の凸部５０より長さの大きいものであり、その凸部５０より突出したスプリング５１の先端部を上記ロースター扉１４の凸部５２の先端面に当接させ、それによって、図６に示すように、伝動ピース４６が受動部４８を前記ロースター扉１４開放用プッシュボタン３０の凸部４２の先端部に当接させて、プッシュボタン３０を前面が操作部２７の前面と面一に位置するようにしている。
【００１８】
更に、伝動ピース４６の受動部４８の後方には、スイッチ５３を配置している。このスイッチ５３は、伝動ピース４６の受動部４８が後方に変位したときに、その受動部４８によって作動されるものである。
【００１９】
図８は、加熱調理器の電気回路構成を示しており、家庭の電源コンセントに差し込み接続される差込プラグ５４の一方の差込端子５５と他方の差込端子５６との間に、ノイズフィルタ５７を接続すると共に、第１のリレー５８の接点５８ａと制御回路５９とを直列に接続している。その第１のリレー５８の接点５８ａに対しては、第２のリレー６０の接点６０ａを並列に接続し、制御回路５９に対して、ファンモータ６１とトライアック６２との直列回路を並列に接続している。ファンモータ６１は、前記本体１１内に冷却風を生成する冷却ファンの駆動源であり、本体１１内に具えられている。
【００２０】
又、第１のリレー５８の接点５８ａと制御回路５９との直列回路に対しては、電源スイッチ６３と、ダイオード６４、抵抗６５、ツェナーダイオード６６の直列回路を並列に接続しており、ツェナーダイオード６６と並列に第２のリレー６０のコイル６０ｂを接続している。電源スイッチ６３は、使用者が前記電源「入」用プッシュボタン２８を押し操作することで閉成し、電源「切」用プッシュボタン２９を押し操作することで開放するようになっている。
【００２１】
上記ダイオード６４と、抵抗６５、及びツェナーダイオード６６の直列回路に対しては、誘導加熱用の第１の加熱コイル６７に通電するインバータ６８を並列に接続しており、そのインバータ６８と並列に、同じく誘導加熱用の第２の加熱コイル６９に通電するインバータ７０を接続している。第１の加熱コイル６７と第２の加熱コイル６９は、前記天板部１２の加熱部の１つずつにそれぞれ直下において対応している加熱手段である。
【００２２】
上記インバータ７０に対しては、ヒータ７１と、それの温度に応動してそれをほゞ一定に保つための感温スイッチ７２、及び第３のリレー７３の接点７３ａの直列回路を並列に接続している。ヒータ７１は、前記天板部１２の加熱部の更に他の１つに直下において対応している加熱手段である。又、天板部１２は耐熱ガラス製又はセラミック製のトッププレートであり、加熱部はすべてがその位置を表示しただけ（加熱作用は第１の加熱コイル６７と第２の加熱コイル６９及びヒータ７１で天板部１２を通じて行う）のものとなっている。
【００２３】
上記ヒータ７１と、感温スイッチ７２、及び第３のリレー７３の接点７３ａの直列回路に対しては、前記ロースター部１３の上ヒータ２４と、それ及び前記下ヒータ２２の異常温度に応動する温度ヒューズ７４、並びに第４のリレー７５の接点７５ａの直列回路を並列に接続している。更に、上ヒータ２４と第４のリレー７５の接点７５ａとの直列回路に対しては、下ヒータ２２と第５のリレー７６の接点７６ａとの直列回路を並列に接続している。
【００２４】
図９は、加熱調理器の制御回路５９を中心とした電気的構成をブロック図で表しており、制御回路５９はマイクロコンピュータを主体に構成していて、加熱調理器の作動全般を制御する制御手段として機能するようになっている。この制御回路５９に、前記操作パネル３１の操作キー３３〜３５により操作されるスイッチ群から成る操作スイッチ入力部７７から各種スイッチ信号が入力され、前記スイッチ５３からもスイッチ信号が、ロースター扉スイッチ７８からもスイッチ信号がそれぞれ入力されるようにしている。ロースター扉スイッチ７８は、図９にのみ示すが、前記ロースター扉１４の開閉に応動するように設けている。
【００２５】
そして、制御回路５９は、それらの入力並びにあらかじめ記憶された制御プログラムに基づいて、前記操作パネル３１の表示部３６〜３８から成る表示装置７９と、ブザー８０、前記ヒータ７１、上ヒータ２４、下ヒータ２２、を駆動するための駆動回路８１を制御するようにしており、駆動回路８１には、前記第１のリレー５８のコイル５８ｂと、第３のリレー７３のコイル７３ｂ、第４のリレー７５のコイル７５ｂ、第５のリレー７６のコイル７６ｂが含まれている。
又、制御回路５９は、前記インバータ６８とインバータ７０とを制御すると共に、前記トライアック６２を制御するようにもなっている。
【００２６】
次に、上記構成のものの作用を述べる。
調理を開始するに当たり、使用者は、被調理物を入れた鍋などの調理容器を天板部１２の加熱部上に置く。一方、ロースター部１３については、図６に矢印Ａで示すように、ロースター扉開放用プッシュボタン３０の「押す」の表示４１が施された部分を前方より押し操作すると、ロースター扉開放用プッシュボタン３０の全体が軸４０を中心に後方へ回動して、裏面の凸部４２により伝動ピース４６の受動部４８を後方へ押す。これにより、伝動ピース４６は軸部４４，４５を中心に図６で反時計回りに回動し、授動部４９の凸部５０がロースター扉１４裏面の凸部５２に当たってそれを前方へ押す。これにより、ロースター扉１４が前方へ移動され、開放する。この場合、その開放量は、図１に示すように、ロースター扉１４の手掛け部１６に使用者の指が掛かるだけの量であり、そこで、その手掛け部１６に使用者が指を掛けて手前に引けば、ロースター扉１４は大きく前方へ引かれ、全開される。又、それに伴い、ロースター皿１８が引き出される。
【００２７】
よって、使用者は引き出されたロースター皿１８に被調理物を置き、その後、ロースター扉１４を押し戻す。すると、ロースター皿１８がロースター庫１７内に押し戻され、ロースター扉１４はロースター庫１７の前面の開口部を閉鎖する状態に戻る。更に、そのロースター扉１４の戻りにより、伝動ピース４６とロースター扉開放用プッシュボタン３０も上述とは反対の方向に動作して元に戻る。
【００２８】
なお、先のロースター扉開放用プッシュボタン３０を押し操作した時点では、スイッチ５３が伝動ピース４６の受動部４８により押されて作動し、ロースター扉開放用プッシュボタン３０の押し操作を検知する。従って、スイッチ５３は、ロースター扉開放用プッシュボタン３０の押し操作を検知する検知手段として機能する。
【００２９】
又、ロースター庫１７がロースター扉開放用プッシュボタン３０の押し操作により開放されたときには、ロースター扉スイッチ７８がそれに応動して例えば開放作動し、ロースター庫１７が閉鎖されたときには、ロースター扉スイッチ７８がそれに応動して例えば閉成作動する。従って、ロースター扉スイッチ７８は、ロースター扉１７の開放及び閉鎖を検知する検知手段として機能する。
【００３０】
さて、使用者が家庭の電源コンセントに差込プラグ５４を差し込んだ状態で、次に、電源「入」用プッシュボタン２８を押し操作すれば、図８に示した電源スイッチ６３が閉成されて第２のリレー６０のコイル６０ｂが通電されることにより、接点６０ａが閉成されて制御回路５９が通電される。通電された制御回路５９は、図１０に「スタート」で示すように作動を開始し、操作パネル３１の操作キー３３〜３５の操作に応じた調理を実行する（ステップＳ１）。
【００３１】
この実行する調理には、第１の加熱コイル６７に通電することにより、天板部１２上で前記鍋など調理用器を誘導加熱して行う誘導加熱調理と、第２の加熱コイル６９に通電することにより、同じく天板部１２上で前記鍋など調理用器を誘導加熱して行う誘導加熱調理、ヒータ７１に通電することにより、同じく天板部１２上で前記鍋など調理用器をヒータ加熱して行うヒータ加熱調理、上ヒータ２４及び下ヒータ２２に通電することにより、ロースター部１３で被調理物をヒータ加熱して行うヒータ加熱調理があるが、ここでは、ロースター部１３で被調理物をヒータ加熱して行うヒータ加熱調理を対象とする。
【００３２】
又、この加熱調理を実行するとき、本体１１が有する冷却ファンが生成する空気流は、上記第１の加熱コイル６７及び第２の加熱コイル６９に及んでそれらを冷却すると共に、伝動機構４３の裏側にも図６に矢印Ｂで示すごとく及んで該伝動機構４３を冷却する。
【００３３】
制御回路５９は、上記ステップＳ１の後、ロースター扉開放用プッシュボタン３０が押し操作されたか否かの判断をする（ステップＳ２）。ロースター扉開放用プッシュボタン３０の押し操作は、スイッチ５３により検知されるものであり、そのスイッチ５３の検知結果から、ステップＳ３でロースター扉開放用プッシュボタン３０が押し操作されていないと判断されれば、次に、調理を終了する時期に至ったか否かの判断をする（ステップＳ３）。
【００３４】
上記ステップＳ３で、調理を終了する時期に至っていない（ＮＯ）と判断されれば、ステップＳ１に戻るものであり、一方、前記ステップＳ２で、ロースター扉開放用プッシュボタン３０が押し操作された（ＹＥＳ）と判断されれば、上ヒータ２４及び下ヒータ２２の通電を遮断し（ステップＳ４）、すなわち、ロースター部１３での加熱調理を中断する。
【００３５】
そして、その後に、ロースター扉１４が閉鎖されたか否かの判断をする（ステップＳ５）。ロースター扉１４の閉鎖は、ロースター扉スイッチ７８により検知されるものであり、そのロースター扉スイッチ７８の検知結果から、ステップＳ５でロースター扉１４が閉鎖された（ＹＥＳ）と判断されれば、ステップＳ１に戻る（加熱調理を再開する）。
【００３６】
それに対し、ステップＳ５で、ロースター扉１４が閉鎖されていない（ＮＯ）と判断されれば、所定時間が経過したか否かの判断をし（ステップＳ６）、ここで所定時間が経過していない（ＮＯ）と判断されるうちは、ステップＳ５に戻る。ステップＳ６で、所定時間が経過した（ＹＥＳ）と判断されれば、ブザー８０を作動させると共に表示部３８に異常の表示をさせて報知をする（ステップＳ７）。従って、ここでそれらブザー８０及び表示部３８は報知手段として機能する。
【００３７】
そして、その後に、再び所定時間が経過したか否かの判断をし（ステップＳ８）、ここで所定時間が経過していない（ＮＯ）と判断されるうちは、ステップＳ７に戻る。ステップＳ８で、所定時間が経過した（ＹＥＳ）と判断されれば、調理を終了し（ステップＳ９）、制御を終える（エンド）。
又、前記ステップＳ３で、調理を終了する時期に至った（ＹＥＳ）と判断されたときも、ステップＳ９を経て制御を終える。
【００３８】
このように本構成のものでは、天板部１２上で調理用器を加熱する本体１１が、天板部１２の下方部分にロースター部１３を具えるものにおいて、そのロースター部１３のロースター扉１４を前面がほゞ平坦なものとしており、従来のもののような突出したハンドル部を有さない。よって、調理時、使用者の手や衣服がそのハンドル部に掛かるというようなこともなく、調理作業がハンドル部に邪魔されずにできるようになると共に、ロースター扉１４の前面を拭き掃除するときの邪魔にもならず、掃除の作業性を良くすることができる。又、ロースター扉１４の前面に突出したハンドル部を有さないことにより、加熱調理器の外観を良くもできる。
【００３９】
更に、それでいて、ロースター扉１４近傍の本体１１前面部に有する操作部２７には、ロースター扉開放用のプッシュボタン３０が存し、このプッシュボタン３０を押し（プッシュ）操作することにより、ロースター扉１４が開放されるから、ロースター扉１４に突出したハンドル部を有さなくても、開扉の操作性に優れるようにできる。
【００４０】
加えて、本構成のものの場合、操作部２７は、上記プッシュボタン３０のほかに、操作パネル３１を出し入れ自在に有しており、それを突出させた状態では、操作キー３３〜３５の操作と表示部３６〜３８の視認が所望にでき、一方、収納した状態では、それが上記ロースター扉１４の前面を含む本体１１の前面で、調理の邪魔や掃除の邪魔になることがなく、従って、この操作パネル３１を含めても、取扱い性を良くでき、且つ、外観を良くもできる。
【００４１】
又、上記プッシュボタン３０をプッシュ操作したときには、ロースター扉１４が手掛け部１６に指が掛かるだけの量、開放されるようにもしており、これによって、ロースター扉１４が出過ぎて調理の邪魔になることのやはりないようにすることができる。
【００４２】
更に、上記プッシュボタン３０をプッシュ操作したとき、その変位をロースター扉１４に伝えて該ロースター扉１４を開放させる伝動機構４３を、操作部２７とロースター扉１４との間に設けており、これによって、プッシュボタン３０とロースター扉１４とを極力シンプル且つ小形の構造で連繋させ、その分、コストを低く抑え得ると共に、動作の信頼性を高く得ることができる。
【００４３】
そのほか、ロースター部１３はロースター扉１４の開放と共にロースター庫１７から引き出されるロースター皿１８を有すると共に、そのロースター皿１８をその引き出し方向にガイドするガイド部２０を有しており、これによって、ロースター扉開放用のプッシュボタン３０をプッシュ操作したときの、ロースター皿１８の引き出しを伴ったロースター扉１４の開放がスムーズにできる。
【００４４】
又、前記プッシュボタン３０をプッシュ操作したとき、ロースター庫１７に具えた上ヒータ２４及び下ヒータ２２すなわちロースターヒータの通電を遮断するようにしており（図１０のステップＳ４）、これによって、加熱調理中、ロースター扉１４を開放させるときには、加熱調理を中断できるので、ロースター扉１４を開放させたままロースターヒータの通電を続行することの無駄を避けることができる。
【００４５】
更に、ロースター部１３での調理の途中に、前記プッシュボタン３０がプッシュ操作されたとき、ロースター扉１４が所定時間を経過しても閉鎖されないときは、報知をする（図１０のステップＳ７）と共に、ロースター部１３での調理を終了する（図１０のステップＳ９）ようにもしており、これによって、ロースター扉１４をなおも開放させたままロースターヒータの通電を続行することの無駄を避けることができる。
【００４６】
そして、伝動機構４３には、本体１１が有する冷却ファンが生成する空気流が及ぶようにもしており、これによって、伝動機構４３を冷却できるから、伝動機構４３が過熱されることのないようにできて、それによる動作、すなわちプッシュボタン３０の変位をロースター扉１４に伝える動作に支障を来たすことのないようにできる。
【００４７】
以上に対して、図１１ないし図１３は本発明の第２実施例（第２の実施形態）を示すもので、第１実施例と同一の部分には同一の符号を付して説明を省略し、異なる部分についてのみ述べる。
【００４８】
このものの場合、ロースター庫１７の後壁にプッシュロッド１０１を後方より前後に移動可能に挿通し、その後側部をロースター庫１７の背面に取付けたブラケット１０２により同じく前後に移動可能に挿通保持している。又、そのブラケット１０２の後壁とプッシュロッド１０１の中間つば部１０１ａとの間には、圧縮コイルスプリング１０３を介在させ、それによって、プッシュロッド１０１を前方に付勢し、該プッシュロッド１０１の前端部をロースター皿１８の背面に圧接させて、ロースター皿１８及びロースター扉１４も前方に付勢し、すなわち、ロースター扉１４を開放方向に付勢している。従って、圧縮コイルスプリング１０３は、ロースター扉１４を開放方向に付勢する付勢手段として機能するようになっている。
【００４９】
更に、プッシュロッド１０１の後方には、前述のロースター扉スイッチ７８に代わるロースター扉スイッチ１０４を設けている。このロースター扉スイッチ１０４は、ロースター扉１４を閉鎖したときに、プッシュロッド１０１にアクチェータ１０４ａを押されて例えば閉成作動し、ロースター扉１４を開放したときには、プッシュロッド１０１によるアクチェータ１０４ａの押圧を解除されて例えば開放作動するものであり、従って、前述のロースター扉スイッチ７８同様に、ロースター扉１４の開放及び閉鎖を検知する検知手段として機能するようになっている。
【００５０】
一方、ロースター庫１７の前部の下方にはロックレバー１０５を設けている。このロックレバー１０５は、中間の軸部１０５ａを中心に上下に回動するもので、前端部には鉤部１０５ｂを有している。これに対して、ロースター扉１４の下端部には、後方への延長部１４ａを形成しており、更に、その延長部１４ａには孔１０６を形成していて、この孔１０６に上記ロックレバー１０５の鉤部１０５ｂが係合し、それによって、ロースター扉１４を前記圧縮コイルスプリング１０３の付勢力に抗して閉鎖状態に拘束するようにしている。従って、この場合、ロックレバー１０５（特には鉤部１０５ｂ）と、ロースター扉１４の延長部１４ａ（特には孔１０６）は、ロースター扉１４をこれに与えた開放方向の付勢力に抗して閉鎖状態に拘束（ロック）するロック機構１０７を構成している。
【００５１】
これに対して、図１２には、ロック解除機構１０８を示しており、これは、上記ロック機構１０７によるロースター扉１４の拘束を前記プッシュボタン３０のプッシュ操作に応じて解除するもので、詳細には、上記ロックレバー１０５の後端部の上側に形成した斜面部１０９と、前記伝動ピース４６とから成っている。この場合、伝動ピース４６には、授
動部４９の先端部から下方に垂下部１１０を延設しており、この垂下部１１０の先端を上記ロックレバー１０５の斜面部１０９に上方より近接状態で臨ませている（授動部４９には前記凸部５０を設けておらず、ロースター扉１４にも前記凸部５２を設けていない）。
【００５２】
従って、プッシュボタン３０の「押す」の表示４１が施された部分を前方より押し操作すると、伝動ピース４６が受動部４８を後方へ押されて回動することにより、授動部４９（垂下部１１０）を図１３の（ａ）に矢印Ｃで示すように前方へ動かし、垂下部１１０の先端をロックレバー１０５の斜面部１０９に摺接させる。これにより、ロックレバー１０５は図１３の（ｂ）に矢印Ｄで示すように後側を押し下げられて、軸部１０５ａを中心に図１３の（ｂ）で時計回りに回動し、前端部の鉤部１０５ｂをロースター扉１４の延長部１４ａの孔１０６から離脱させてロースター扉１４の拘束を解除する。
【００５３】
しかして、拘束を解除されたロースター扉１４は、ロースター庫１７後方の圧縮コイルスプリング１０３による付勢力により前方に押し出されて開放する。なお、この場合のロースター扉１４の開放は、プッシュロッド１０１のつば部１０１ａがロースター庫１７背面に衝止されるまでであって、それは、前述同様、ロースター扉１４の手掛け部１６に指が掛かるだけの量に留められる。
【００５４】
又、ロースター扉１４を開放状態から押し戻せば、圧縮コイルスプリング１０３が圧縮されてロースター扉１４を次に開放させるための付勢力が蓄えられ、この状態で、ロースター扉１４の孔１０６がロックレバー１０５の鉤部１０５ｂに係合し、ロースター扉１４を元の閉鎖状態に拘束する。
【００５５】
このように第２実施例のものによれば、ロースター扉１４の開放を圧縮コイルスプリング１０３による付勢力で行い得るもので、使用者は、その付勢力に抗してロースター扉１４を閉鎖状態に拘束したロック機構１０７のその拘束を解除するだけの力でプッシュボタン３０をプッシュ操作すれば良いから、それだけ、操作力が少なくて済み、取扱い性を一層良くすることができる。
【００５６】
なお、本体は、天板部上で調理用器を加熱するにつき、加熱手段を天板部より外上方に露出させるものであっても良い。又、ロースター扉は、下辺部等を本体に枢着した回動式であっても良い。更に、ロースター皿は、ロースター扉とは別に単独に引き出されるものであっても良い。
そのほか、本発明は上記し且つ図面に示した実施例にのみ限定されるものではなく、要旨を逸脱しない範囲内で適宜変更して実施し得る。
【図面の簡単な説明】
【００５７】
【図１】本発明の第１実施例を示す、操作部からロースター扉にかけての部分外観斜視図
【図２】全体の正面図
【図３】図２のＸ−Ｘ線に沿う断面図
【図４】内部構造の部分破断斜視図
【図５】操作パネル部分の斜視図で、（ａ）が操作パネル突出操作状態、（ｂ）が操作パネル突出状態をそれぞれ示す図
【図６】図２のＹ−Ｙ線に沿う断面図
【図７】伝動機構部分の分解斜視図
【図８】電気回路図
【図９】電気的構成のブロック図
【図１０】作用説明用のフローチャート
【図１１】本発明の第２実施例を示す図３相当図
【図１２】図７相当図
【図１３】ロック機構及びロック解除機構の動作を示す縦断側面図で、（ａ）がロック状態、（ｂ）がロック解除状態をそれぞれ示す図
【図１４】従来例を示す全体の斜視図
【符号の説明】
【００５８】
図面中、１１は本体、１２は天板部、１３はロースター部、１４はロースター扉、１６は手掛け部、１７はロースター庫、２０はガイド部、２２は下ヒータ（ロースターヒータ）、２４は上ヒータ（ロースターヒータ）、２７は操作部、３０はロースター扉開放用プッシュボタン（プッシュボタン）、３１は操作パネル、３８は表示部（報知手段）、４３は伝動機構、５９は制御回路（制御手段）、８０はブザー（報知手段）、１０３は圧縮コイルスプリング（付勢手段）、１０７はロック機構、１０８はロック解除機構を示す。
【図１】
2007127383.tif 000003
【図２】
2007127383.tif 000004
【図３】
2007127383.tif 000005
【図４】
2007127383.tif 000006
【図５】
2007127383.tif 000007
【図６】
2007127383.tif 000008
【図７】
2007127383.tif 000009
【図８】
2007127383.tif 000010
【図９】
2007127383.tif 000011
【図１０】
2007127383.tif 000012
【図１１】
2007127383.tif 000013
【図１２】
2007127383.tif 000014
【図１３】
2007127383.tif 000015
【図１４】
2007127383.tif 000016